(57)【要約】【課題】トラックフレームに対するトランスリフタ装置の取付構造を工夫することで、トラックフレームの輸送幅がトレーラの車幅制限を超えないようにする。【解決手段】トラックフレーム１２の上面における前後両側には、固定ブラケット１３がそれぞれ設けられている。トランスリフタ装置３０には、リフタ本体部３１から固定ブラケット１３側に向かって張り出した支持アーム部３５が設けられている。トランスリフタ装置３０とトラックフレーム１２とは、連結ピン４０がアーム側ピン孔３５ａ及びブラケット側ピン孔１３ａに嵌め込まれ、支持アーム部３５の先端部が連結ピン４０を中心に回動してトラックフレーム１２を押圧することで、着脱可能に取り付けられている。【選択図】図４
2015155229.tif 000002
【特許請求の範囲】
【請求項１】
トラックフレームと、外周にクローラが装着されて該トラックフレームの左右両側に着脱可能に取り付けられた左右一対のサイドフレームとを備え、該トラックフレームの前後両側に、該トラックフレームを持ち上げるための前後一対のトランスリフタ装置を着脱可能なクローラ式車両の下部走行体であって、
前記トラックフレームの上面における前後両側には、左右方向に貫通するブラケット側ピン孔が形成された固定ブラケットがそれぞれ設けられ、
前記トランスリフタ装置は、リフタ本体部と、該リフタ本体部を昇降させるリフトシリンダと、該リフタ本体部から前記固定ブラケット側に向かって張り出し且つ前記ブラケット側ピン孔に対応して左右方向に貫通するアーム側ピン孔が形成された支持アーム部とを有し、
前記トランスリフタ装置と前記トラックフレームとは、前記アーム側ピン孔及び前記ブラケット側ピン孔に連結ピンが嵌め込まれることで着脱自在に取り付けられ、
前記支持アーム部の先端部は、前記アーム側ピン孔の形成位置よりも前記リフタ本体部に対して反対方向に突出して延びることで、前記トラックフレームを持ち上げたときに該トラックフレームの上部に当接して該トラックフレームの支持反力を受けるように構成されていることを特徴とするクローラ式車両の下部走行体。
【請求項２】
請求項１において、
前記トラックフレームにおける前記支持アーム部の先端部に当接する面には、補強部材が設けられていることを特徴とするクローラ式車両の下部走行体。
【請求項３】
請求項１又は２において、
前記トラックフレームにおける前後両側の側壁部には、フレーム側当接部がそれぞれ設けられ、
前記リフタ本体部には、該リフタ本体部が前記連結ピンを中心に該トラックフレームの側壁部側に回動したときに、前記フレーム側当接部に当接するリフタ側当接部が設けられていることを特徴とするクローラ式車両の下部走行体。
【請求項４】
請求項１乃至３のうち何れか１つにおいて、
前記トラックフレームの上面における前後両側には、互いに間隔をあけて配設された左右一対の前記固定ブラケットがそれぞれ設けられ、
前記支持アーム部は、左右一対の前記固定ブラケットの間で互いに間隔をあけて左右一対に設けられ、
前記連結ピンは、左右一対の前記固定ブラケット及び前記支持アーム部をそれぞれ連結するために左右一対に設けられ、
前記トランスリフタ装置は、
左右一対の前記支持アーム部の間に配設されて前記連結ピンの軸方向に沿って平行に延びるガイド部と、
左右一対の前記連結ピンの基端部をそれぞれ保持するとともに、該連結ピンが前記アーム側ピン孔及び前記ブラケット側ピン孔に嵌め込まれた連結位置と、該連結ピンが該ブラケット側ピン孔から取り外され且つ該連結ピンの先端部が該アーム側ピン孔に嵌め込まれた解除位置との間で、前記ガイド部に支持されながら移動可能な左右一対のピン保持部とを有することを特徴とするクローラ式車両の下部走行体。
【請求項５】
請求項４において、
前記ピン保持部に当接して該ピン保持部を前記解除位置に位置付けるストッパ部を有することを特徴とするクローラ式車両の下部走行体。
【発明の詳細な説明】
【技術分野】
【０００１】
本発明は、クローラ式車両の下部走行体に関するものである。
【背景技術】
【０００２】
従来より、油圧ショベルやクローラクレーン等のクローラ式車両において、作業時には安定度を高めるためにクローラ幅を拡張する一方、輸送時にはトレーラの輸送制限に適応するためにクローラ幅を縮小するようにした構成が知られている（例えば、特許文献１参照）。
【０００３】
具体的に、クローラ式車両のトラックフレームの左右両側には、外周にクローラが装着されるサイドフレームが配設されている。左右のサイドフレームは、左右のクローラ間隔が最大となるクローラ幅拡張位置とクローラ間隔が最小となるクローラ幅縮小位置との間で左右方向に移動可能となっている。
【０００４】
ところで、積載量の小さなトレーラにトラックフレームを積み込んで輸送する場合には、サイドフレームをクローラ幅縮小位置に移動させたとしても、トレーラの車幅制限を超えてしまい、トレーラに搭載できないことがある。
【０００５】
このような場合には、トラックフレームの前後幅が左右幅よりも幅狭となっているので、トランスリフタ装置によって下部走行体を持ち上げてトラックフレームからサイドフレームを一旦取り外し、トラックフレームの前後をトレーラの左右に向けた状態でトレーラに搭載させるようにしている。
【０００６】
ここで、トランスリフタ装置のトランスリフタアームは、トラックフレームの前後両側に設けられたアーム取付ブラケットに対して挿脱自在なアーム取付ピンを介して、アーム取付ブラケットに取り付けられている。
【先行技術文献】
【特許文献】
【０００７】
【特許文献１】特開２０１０−０６４５９５号公報
【発明の概要】
【発明が解決しようとする課題】
【０００８】
しかしながら、従来のクローラ式車両では、トラックフレームの前後両側（トレーラに搭載したときには左右両側）に、トランスリフタアームを取り付けるための取付ブラケットが設けられているので、前後の取付ブラケット間の距離がトラックフレームの輸送幅の最広部となる。そのため、トラックフレームからサイドフレームを取り外したとしても、トラックフレームの輸送幅がトレーラ輸送時の車幅制限を超えてしまうおそれがあった。
【０００９】
また、取付ブラケットの一部がトラックフレーム底板よりも下方に飛び出しており、機械の最低地上高さとなる。そのため、通常作業時に、岩や解体ガラへの乗り上げや破損の要因となるおそれがあった。
【００１０】
本発明は、かかる点に鑑みてなされたものであり、その目的は、トラックフレームに対するトランスリフタ装置の取付構造を工夫することで、トラックフレームの輸送幅がトレーラの車幅制限を超えないようにすることにある。
【課題を解決するための手段】
【００１１】
本発明は、トラックフレームと、外周にクローラが装着されて該トラックフレームの左右両側に着脱可能に取り付けられた左右一対のサイドフレームとを備え、該トラックフレームの前後両側に、該トラックフレームを持ち上げるための前後一対のトランスリフタ装置を着脱可能なクローラ式車両の下部走行体を対象とし、次のような解決手段を講じた。
【００１２】
すなわち、第１の発明は、前記トラックフレームの上面における前後両側には、左右方向に貫通するブラケット側ピン孔が形成された固定ブラケットがそれぞれ設けられ、
前記トランスリフタ装置は、リフタ本体部と、該リフタ本体部を昇降させるリフトシリンダと、該リフタ本体部から前記固定ブラケット側に向かって張り出し且つ前記ブラケット側ピン孔に対応して左右方向に貫通するアーム側ピン孔が形成された支持アーム部とを有し、
前記トランスリフタ装置と前記トラックフレームとは、前記アーム側ピン孔及び前記ブラケット側ピン孔に連結ピンが嵌め込まれることで着脱自在に取り付けられ、
前記支持アーム部の先端部は、前記アーム側ピン孔の形成位置よりも前記リフタ本体部に対して反対方向に突出して延びることで、前記トラックフレームを持ち上げたときに該トラックフレームの上部に当接して該トラックフレームの支持反力を受けるように構成されていることを特徴とするものである。
【００１３】
第１の発明では、トラックフレームの上面に固定ブラケットが設けられる。トランスリフタ装置とトラックフレームとは、アーム側ピン孔及びブラケット側ピン孔に連結ピンが嵌め込まれることで着脱可能に取り付けられる。トランスリフタ装置でトラックフレームを持ち上げると、支持アーム部の先端部がトラックフレームの上部に当接してトラックフレームの支持反力を受ける。
【００１４】
このような構成とすれば、トラックフレームにトランスリフタ装置を取り付けるにあたって、従来のようにトラックフレームの前後両側から取付ブラケットを張り出させる必要が無い。これにより、トラックフレームの輸送幅の最広部は、トラックフレームの前後幅となるので、トラックフレームの輸送幅がトレーラの車幅制限を超えないようにすることができる。
【００１５】
また、固定ブラケットがトラックフレーム底板よりも下方に飛び出さない構造としたため、通常作業時に、岩や解体ガラへの乗り上げや破損を防止することができる。
【００１６】
また、トランスリフタ装置とトラックフレームとを連結ピンによって連結させた構造とすることで、トランスリフタ装置とトラックフレームとの着脱作業を容易に行うことができる。
【００１７】
第２の発明は、第１の発明において、
前記トラックフレームにおける前記支持アーム部の先端部に当接する面には、補強部材が設けられていることを特徴とするものである。
【００１８】
第２の発明では、支持アーム部の先端部に当接する面に補強部材が設けられているから、トラックフレームにかかる荷重を補強部材で受け止めることができる。
【００１９】
第３の発明は、第１又は第２の発明において、
前記トラックフレームにおける前後両側の側壁部には、フレーム側当接部がそれぞれ設けられ、
前記リフタ本体部には、該リフタ本体部が前記連結ピンを中心に該トラックフレームの側壁部側に回動したときに、前記フレーム側当接部に当接するリフタ側当接部が設けられていることを特徴とするものである。
【００２０】
第３の発明では、リフタ本体部が連結ピンを中心に回動してフレーム側当接部とリフタ側当接部とが当接する。これにより、トラックフレーム及びトランスリフタ装置をトレーラに搭載してリフトシリンダが地面から離れたときに、リフタ本体部が連結ピンを中心に回動してトラックフレームに衝突してしまうのを抑えることができる。
【００２１】
第４の発明は、第１乃至第３の発明のうち何れか１つにおいて、
前記トラックフレームの上面における前後両側には、互いに間隔をあけて配設された左右一対の前記固定ブラケットがそれぞれ設けられ、
前記支持アーム部は、左右一対の前記固定ブラケットの間で互いに間隔をあけて左右一対に設けられ、
前記連結ピンは、左右一対の前記固定ブラケット及び前記支持アーム部をそれぞれ連結するために左右一対に設けられ、
前記トランスリフタ装置は、
左右一対の前記支持アーム部の間に配設されて前記連結ピンの軸方向に沿って平行に延びるガイド部と、
左右一対の前記連結ピンの基端部をそれぞれ保持するとともに、該連結ピンが前記アーム側ピン孔及び前記ブラケット側ピン孔に嵌め込まれた連結位置と、該連結ピンが該ブラケット側ピン孔から取り外され且つ該連結ピンの先端部が該アーム側ピン孔に嵌め込まれた解除位置との間で、前記ガイド部に支持されながら移動可能な左右一対のピン保持部とを有することを特徴とするものである。
【００２２】
第４の発明では、左右一対のピン保持部は、ガイド部材に支持されながら連結位置と解除位置との間で移動可能となっている。連結位置は、連結ピンがアーム側ピン孔及びブラケット側ピン孔に嵌め込まれた位置である。解除位置は、連結ピンがブラケット側ピン孔から取り外され且つ連結ピンの先端部がアーム側ピン孔に嵌め込まれた位置である。
【００２３】
このような構成とすれば、作業者は、左右一対の連結ピンの重量を１つのガイド部で支持しながら連結ピンの着脱作業をスムーズに行うことができる。また、解除位置では、連結ピンの先端部がアーム側ピン孔に嵌め込まれたままとなっている。これにより、連結ピンがアーム側ピン孔から完全には抜けない状態となり、連結ピンが落下してしまうおそれがない。また、支持アーム部と連結ピンとが一体化されているため、再度、連結ピンをブラケット側ピン孔に嵌め込む際に、連結ピンを持ち上げてアーム側ピン孔に差し込む作業が不要となり、スムーズに嵌め込み作業を行うことができる。
【００２４】
第５の発明は、第４の発明において、
前記ピン保持部に当接して該ピン保持部を前記解除位置に位置付けるストッパ部を有することを特徴とするものである。
【００２５】
第５の発明では、ピン保持部がストッパ部に当接するまで移動させるだけで、ピン保持部を解除位置に位置付けることができるから、連結ピンが意図せずに落下してしまうおそれがない。
【発明の効果】
【００２６】
本発明によれば、トラックフレームにトランスリフタ装置を取り付けるにあたって、従来のようにトラックフレームの前後両側から取付ブラケットを張り出させる必要が無い。これにより、トラックフレームの輸送幅の最広部は、トラックフレームの前後幅となるので、トラックフレームの輸送幅がトレーラの車幅制限を超えないようにすることができる。
【００２７】
また、固定ブラケットがトラックフレーム底板よりも下方に飛び出さない構造としたため、通常作業時に、岩や解体ガラへの乗り上げや破損を防止することができる。
【００２８】
また、トランスリフタ装置とトラックフレームとを連結ピンによって連結させた構造とすることで、トランスリフタ装置とトラックフレームとの着脱作業を容易に行うことができる。
【図面の簡単な説明】
【００２９】
【図１】本発明の実施形態１に係るクローラ式車両の下部走行体の構成を示す平面図である。
【図２】トラックフレームにトランスリフタ装置を取り付けた状態を示す斜視図である。
【図３】トラックフレームにトランスリフタ装置を取り付けた状態を示す平面図である。
【図４】トラックフレームにトランスリフタ装置を取り付けた状態を示す側面図である。
【図５】本実施形態２に係るトランスリフタ装置の構成を示す側面図である。
【図６】連結ピンを連結位置に位置付けた状態を示す平面図である。
【図７】連結ピンを解除位置に位置付けた状態を示す平面図である。
【発明を実施するための形態】
【００３０】
以下、本発明の実施形態を図面に基づいて説明する。なお、以下の好ましい実施形態の説明は、本質的に例示に過ぎず、本発明、その適用物或いはその用途を制限することを意図するものではない。各図には、上下や前後左右の方向を矢印で示してある。特に言及しない限り、上下等の方向についてはこれら矢印で示す方向に従って説明する。
【００３１】
《実施形態１》
図１は、クローラ式車両の下部走行体の構成を示す平面図である。本実施形態のクローラ式車両１０は、例えば、解体機、油圧ショベル、クローラクレーン等である。
【００３２】
図１に示すように、クローラ式車両１０の下部走行体１１は、トラックフレーム１２と、左右一対のサイドフレーム２０とを備えている。トラックフレーム１２の上面側の中心部には、旋回ベアリング（図示省略）が締結されるベアリング台１８が設けられている。上部旋回体（図示省略）は、旋回ベアリングを介して下部走行体１１に対して旋回自在に載置されている。
【００３３】
トラックフレーム１２の前側及び後側には、アクスル１５が左右に延びている。アクスル１５は、左右のサイドフレーム２０のアクスル嵌入孔２０ａに挿入されている。左右のサイドフレーム２０の外周には、クローラ２１が装着されている。
【００３４】
左右のサイドフレーム２０は、左右のクローラ間隔が最大となるクローラ幅拡張位置と、クローラ間隔が最小となるクローラ幅縮小位置との間で左右方向に移動可能に設けられている。左右のサイドフレーム２０は、下部走行体１１に設けた油圧シリンダ１９によって伸縮される。左右のサイドフレーム２０は、トラックフレーム１２に対し、クローラ幅拡張位置及びクローラ幅縮小位置でそれぞれ連結リンク２５によって連結される。
【００３５】
連結リンク２５は、トラックフレーム１２の前後両側に配設され、トラックフレーム１２に対して着脱自在に取り付けられている。連結リンク２５は、トラックフレーム１２に沿って左右方向に延びる横梁部２６と、横梁部２６の左右両側にそれぞれ配設されてサイドフレーム２０に連結されるリンク部２７とを有する。
【００３６】
左右のサイドフレーム２０は、トラックフレーム１２に対して着脱可能に取り付けられている。ここで、トラックフレーム１２からサイドフレーム２０を着脱する作業を行うにあたっては、下部走行体１１全体をトランスリフタ装置３０で持ち上げる必要がある。以下、トラックフレーム１２に対するトランスリフタ装置３０の取付構造について説明する。
【００３７】
図２及び図３に示すように、トラックフレーム１２の上面における前後両側には、固定ブラケット１３がそれぞれ設けられている。具体的には、左右方向に間隔をあけて配設された左右一対の固定ブラケット１３が、トラックフレーム１２の前側及び後側にそれぞれ設けられている。固定ブラケット１３には、左右方向に貫通するブラケット側ピン孔１３ａが形成されている。
【００３８】
トラックフレーム１２の前後両側には、トラックフレーム１２を持ち上げるための前後一対のトランスリフタ装置３０が配設されている。トランスリフタ装置３０は、リフタ本体部３１と、リフトシリンダ３２と、リフタ本体部３１からトラックフレーム１２側に向かって張り出した支持アーム部３５と、固定ブラケット１３と支持アーム部３５とを連結する連結ピン４０とを有する。
【００３９】
リフタ本体部３１は、トラックフレーム１２に沿って左右方向に延びており、その左右両端部には、リフトシリンダ３２を保持するシリンダブラケット３３が取り付けられている。リフトシリンダ３２は、シリンダロッド（図示省略）が上下方向に進退することでリフタ本体部３１を昇降させる。
【００４０】
支持アーム部３５は、リフタ本体部３１の上面から固定ブラケット１３側に向かって一体に張り出している。具体的に、前側のトランスリフタ装置３０には、固定ブラケット１３を挟むように配設された左右一対の支持アーム部３５の組が、左右方向に間隔をあけて２組設けられている。また、後側のトランスリフタ装置３０にも同様に、固定ブラケット１３を挟むように配設された左右一対の支持アーム部３５の組が、左右方向に間隔をあけて２組設けられている。
【００４１】
支持アーム部３５には、ブラケット側ピン孔１３ａに対応して左右方向に貫通するアーム側ピン孔３５ａが形成されている。支持アーム部３５の先端部は、アーム側ピン孔３５ａの形成位置よりもリフタ本体部３１に対して反対方向に突出して延びている。
【００４２】
アーム側ピン孔３５ａ及びブラケット側ピン孔１３ａには、連結ピン４０が着脱可能に嵌め込まれている。具体的に、連結ピン４０の先端部は、アーム側ピン孔３５ａ及びブラケット側ピン孔１３ａに嵌め込まれたときに支持アーム部３５よりも外方に突出している。連結ピン４０の先端部には、抜け止めピン４１が着脱可能に取り付けられており、連結ピン４０が軸方向に抜けないように固定されている。
【００４３】
図４に示すように、トランスリフタ装置３０とトラックフレーム１２とは、連結ピン４０がアーム側ピン孔３５ａ及びブラケット側ピン孔１３ａに嵌め込まれることで着脱可能に取り付けられている。そして、リフトシリンダ３２によってトラックフレーム１２を持ち上げると、支持アーム部３５の先端部がトラックフレーム１２の上部に当接してトラックフレーム１２の支持反力を受ける。トラックフレーム１２における支持アーム部３５の先端部に当接する面には、補強部材１４が設けられている。
【００４４】
また、リフタ本体部３１には、連結リンク２５の横梁部２６（フレーム側当接部）に当接するリフタ側当接部３６が設けられている。横梁部２６とリフタ側当接部３６とは、トラックフレーム１２及びトランスリフタ装置３０をトレーラに搭載してリフトシリンダ３２が地面から離れたときに、リフタ本体部３１が連結ピン４０を中心にトラックフレーム１２の側壁部側に回動して当接する。
【００４５】
以上のように、本実施形態に係るクローラ式車両１０の下部走行体１１によれば、トラックフレーム１２にトランスリフタ装置３０を取り付けるにあたって、従来のようにトラックフレーム１２の前後両側から取付ブラケットを張り出させる必要が無い。これにより、トラックフレーム１２の輸送幅の最広部は、トラックフレーム１２の前後幅となるので、トラックフレーム１２の輸送幅がトレーラの車幅制限を超えないようにすることができる。
【００４６】
また、固定ブラケット１３がトラックフレーム１２の底板よりも下方に飛び出さない構造としたため、通常作業時に、岩や解体ガラへの乗り上げや破損を防止することができる。
【００４７】
また、トランスリフタ装置３０とトラックフレーム１２とを連結ピン４０によって連結させた構造とすることで、トランスリフタ装置３０とトラックフレーム１２との着脱作業を容易に行うことができる。
【００４８】
《実施形態２》
図５は、本実施形態２に係るトランスリフタ装置の構成を示す側面図である。以下、前記実施形態１と同じ部分については同じ符号を付し、相違点についてのみ説明する。
【００４９】
図５及び図６に示すように、トランスリフタ装置３０には、作業者が、連結ピン４０をブラケット側ピン孔１３ａに嵌め込む作業を行い易くするために、ガイド部４２と、左右一対のピン保持部４３と、ストッパ部４５とが設けられている。
【００５０】
左右一組の支持アーム部３５は、補強梁４７によって互いに連結されている。具体的に、補強梁４７の左右両端部には、補強梁ブラケット４７ａが取り付けられており、補強梁ブラケット４７ａが左右一組の支持アーム部３５にそれぞれ取り付けられている。
【００５１】
ガイド部４２は、連結ピン４０の軸方向に沿って平行に延びる棒状の部材で形成されている。ガイド部４２は、トランスリフタ装置３０側から見て連結ピン４０よりも奥側（図６では後側）に配設され、左右一組の支持アーム部３５の間に跨がって延びている。ガイド部４２は、ガイドブラケット４２ａによって左右一組の支持アーム部３５にそれぞれ取り付けられている。
【００５２】
左右一対のピン保持部４３は、前後方向に立設して延びる板状体で形成されている。左右一対の連結ピン４０の基端部は、締結ボルト４８によってピン保持部４３にそれぞれ締結固定されることで、ピン保持部４３の前後方向の略中央位置に保持されている。
【００５３】
トランスリフタ装置３０側から見て、ピン保持部４３の奥側（図６では後側）には、ガイド部４２に挿通するためのガイド孔４３ａが形成されている。これにより、左右一対のピン保持部４３は、１つのガイド部４２に支持されながら左右方向に移動可能となっている。具体的に、ピン保持部４３は、連結ピン４０がアーム側ピン孔３５ａ及びブラケット側ピン孔１３ａに嵌め込まれた連結位置と、連結ピン４０がブラケット側ピン孔１３ａから取り外され且つ連結ピン４０の先端部がアーム側ピン孔３５ａに嵌め込まれた解除位置（図７参照）との間で移動可能となっている。
【００５４】
ピン保持部４３の手前側（図６では前側）には、車両左右方向の内方側に向かって張り出したフランジ部４４が設けられている。フランジ部４４には、係合孔４４ａが形成されている。
【００５５】
ピン保持部４３は、左右の連結ピン４０に対応して左右両側にそれぞれ設けられている。ここで、右側のピン保持部４３のフランジ部４４と、左側のピン保持部４３のフランジ部４４とは、その高さ位置が異なっている。具体的に、右側のピン保持部４３のフランジ部４４は、左側のピン保持部４３のフランジ部４４よりも高い位置で左側に張り出している。これにより、右側及び左側のピン保持部４３を解除位置に位置付けたときに、互いのフランジ部４４が平面視で重なり合うとともに、係合孔４４ａが平面視で連通するようになっている。
【００５６】
ストッパ部４５は、ガイド部４２に取り付けられており、ピン保持部４３を連結位置から解除位置に移動させたときにピン保持部４３に当接して、ピン保持部４３を解除位置に位置付けるためのものである。ストッパ部４５は、左右のピン保持部４３に対応して２つ設けられている。
【００５７】
このような構成とすれば、作業者は、連結ピン４０の重量をガイド部４２で支持しながら連結ピン４０の着脱作業をスムーズに行うことができる。また、図７に示すように、解除位置では、ピン保持部４３がストッパ部４５に当接することで、連結ピン４０の先端部がアーム側ピン孔３５ａに嵌め込まれたままとなっている。これにより、連結ピン４０がアーム側ピン孔３５ａから完全には抜けない状態となり、連結ピン４０が落下してしまうおそれがない。
【００５８】
ここで、解除位置では、左右のピン保持部４３のフランジ部４４が平面視で互いに重なり合っているので、フランジ部４４同士を抜け止めピン４１で係合させて固定するようにしている。具体的には、連結位置において連結ピン４０の先端部に着脱可能に取り付けていた抜け止めピン４１を利用して、解除位置において左右のフランジ部４４の係合孔４４ａに抜け止めピン４１を係合させるようにしている。
【００５９】
これにより、連結ピン４０を解除位置に位置付けて固定することができるとともに、連結ピン４０から取り外した後の抜け止めピン４１が紛失するおそれも無い。なお、抜け止めピン４１の代わりに、締結ボルト及び締結ナットを用いてフランジ部４４同士を固定するようにしてもよい。
【００６０】
《その他の実施形態》
前記実施形態については、以下のような構成としてもよい。
【００６１】
本実施形態では、ストッパ部４５は、左右一対のピン保持部４３に対応して２つ設けられているが、この形態に限定するものではない。例えば、左右方向に延びる１つのストッパ部４５をガイド部４２の中央位置に取り付け、ストッパ部４５の左端部及び右端部にそれぞれ左右のピン保持部４３を当接させることで、左右のピン保持部４３を１つのストッパ部４５で解除位置に位置付けるようにしてもよい。
【産業上の利用可能性】
【００６２】
以上説明したように、本発明は、トラックフレームに対するトランスリフタ装置の取付構造を工夫することで、トラックフレームの輸送幅がトレーラの車幅制限を超えないようにすることができるという実用性の高い効果が得られることから、きわめて有用で産業上の利用可能性は高い。
【符号の説明】
【００６３】
１０    クローラ式車両
１１    下部走行体
１２    トラックフレーム
１３    固定ブラケット
１３ａ  ブラケット側ピン孔
１４    補強部材
２０    サイドフレーム
２１    クローラ
２６    横梁部（フレーム側当接部）
３０    トランスリフタ装置
３１    リフタ本体部
３２    リフトシリンダ
３５    支持アーム部
３５ａ  アーム側ピン孔
３６    リフタ側当接部
４０    連結ピン
４２    ガイド部
４３    ピン保持部
４５    ストッパ部
【図１】
2015155229.tif 000003
【図２】
2015155229.tif 000004
【図３】
2015155229.tif 000005
【図４】
2015155229.tif 000006
【図５】
2015155229.tif 000007
【図６】
2015155229.tif 000008
【図７】
2015155229.tif 000009